(57)【要約】【課題】突然の嘔吐に素早く対応できる吐瀉物処理セットを提供すること。【解決手段】吐瀉物にふりかけるための紙製吸収細片と、前記紙製吸収細片を振りかけた吐瀉物を該紙製吸収細片と共に掬い取るための使い捨てちりとりと、前記使い捨てちりとりで前記紙製吸収細片と共に掬い取った吐瀉物を、該使い捨てちりとり及び該紙製吸収細片と共に収容するための廃棄容器と、前記紙製吸収細片、前記使い捨てちりとり、及び前記廃棄容器を収納する梱包容器と、を備えたことを特徴とする簡易吐瀉物処理セット。【選択図】図２
2016154616.tif 000002
【特許請求の範囲】
【請求項１】
吐瀉物にふりかけるための紙製吸収細片と、
前記紙製吸収細片を振りかけた吐瀉物を該紙製吸収細片と共に掬い取るための使い捨てちりとりと、
前記使い捨てちりとりで前記紙製吸収細片と共に掬い取った吐瀉物を、該使い捨てちりとり及び該紙製吸収細片と共に収容するための廃棄容器と、
前記紙製吸収細片、前記使い捨てちりとり、及び前記廃棄容器を収納する梱包容器と、
を備えたことを特徴とする簡易吐瀉物処理セット。
【請求項２】
使い捨てマスクと、使い捨て手袋と、紙ナプキンと、除菌剤とをさらに備えたことを特徴とする請求項１記載の簡易吐瀉物処理セット。
【請求項３】
前記紙製吸収細片が、短冊状の古紙から成る請求項１又は請求項２記載の簡易吐瀉物処理セット。
【請求項４】
前記廃棄容器が、
防水コーティングされた紙容器と、
前記紙容器を収容可能な袋と、
から成る請求項１〜請求項３のいずれかに記載の簡易吐瀉物処理セット。
【発明の詳細な説明】
【技術分野】
【０００１】
本発明は、突然の嘔吐に素早く対応できる吐瀉物処理セットに関するものである。
【背景技術】
【０００２】
従来、吐瀉物を処理するキットとして下記特許文献１に記載のものがあった。
【先行技術文献】
【特許文献】
【０００３】
【特許文献１】実用新案登録第３１８８１２１号
【発明の概要】
【発明が解決しようとする課題】
【０００４】
しかしながら、上記「特許文献１」に記載のものは、「吐瀉物」や「汚物」を処理する際に使用する凝固剤はふりかけて水分を含ませて固める動作に時間がかかり、また、凝固させるために専用の器具で「吐瀉  物」を混ぜなければいけない作業があり、素早く処理するには時間と手間がかかりすぎた。
【課題を解決するための手段】
【０００５】
上記の問題を解決するために、本発明の簡易吐瀉物処理セットは、吐瀉物にふりかけるための紙製吸収細片と、前記紙製吸収細片を振りかけた吐瀉物を該紙製吸収細片と共に掬い取るための使い捨てちりとりと、前記使い捨てちりとりで前記紙製吸収細片と共に掬い取った吐瀉物を、該使い捨てちりとり及び該紙製吸収細片と共に収容するための廃棄容器と、前記紙製吸収細片、前記使い捨てちりとり、及び前記廃棄容器を収納する梱包容器と、を備えたことを特徴とする。
【０００６】
また、本発明の簡易吐瀉物処理セットは、使い捨てマスクと、使い捨て手袋と、紙ナプキンと、除菌剤とをさらに備えたことを特徴とする。
【０００７】
さらにまた、本発明の簡易吐瀉物処理セットは、前記紙製吸収細片が、短冊状の古紙から成ることを特徴とする。
【０００８】
さらにまた、本発明の簡易吐瀉物処理セットは、前記廃棄容器が、防水コーティングされた紙容器と、前記紙容器を収容可能な袋と、
から成ることを特徴とする。
【０００９】
さらにまた、本発明の簡易吐瀉物処理セットは、前記使い捨てちりとりが、防水コーティングされた紙製のヘラから成ることを特徴とする。
【００１０】
さらにまた、本発明の簡易吐瀉物処理セットは、前記梱包容器が、縦２９７mm、横２１０mm、高さ２５mmの紙製の箱からなることを特徴とする。
【発明の効果】
【００１１】
本発明は、紙製吸収細片に吐瀉物の水分を素早く吸収させることが出来るので、凝固剤を使った処理セットよりも素早く対応出来る。
【図面の簡単な説明】
【００１２】
【図１】本実施形態の簡易吐瀉物処理セットの全体斜視図である。
【図２】本実施形態の簡易吐瀉物処理セットの各構成物品の斜視図である。
【図３】本実施形態の簡易吐瀉物処理セットの廃棄容器の斜視図である。
【発明を実施するための形態】
【００１３】
図１〜図３に示すように、本実施形態の簡易吐瀉物処理セット１０は、吐瀉物にふりかけるための紙製吸収細片１と、前記紙製吸収細片１を振りかけた吐瀉物を該紙製吸収細片１と共に掬い取るための使い捨てちりとり２と、前記使い捨てちりとり２で前記紙製吸収細片１と共に掬い取った吐瀉物を、該使い捨てちりとり２及び該紙製吸収細片１と共に収容するための廃棄容器３と、使い捨てマスク４と、使い捨て手袋５と、紙ナプキン６と、除菌剤７と、これら紙製吸収細片１、使い捨てちりとり２、廃棄容器３、使い捨てマスク４、使い捨て手袋５、紙ナプキン６、及び除菌剤７を梱包収納する梱包容器８とを備えている。
【００１４】
紙製吸収細片１は、短冊状の古紙からなり、ビニール袋１１に収納されている。古紙は油分や水分を吸収しやすく、吸水性能を上げるためにシュレッダーにかけ表面積を拡大させ吸収率を大幅に上げている。また古紙はリサイクル店で格安で入手出来るため環境にも配慮できる。
【００１５】
使い捨てちりとり２は、表面が防水コーティングされた折りたたみ可能な紙製のヘラから成る。
【００１６】
廃棄容器３は、図２及び図３に示すように、表面が防水コーティングされた折りたたみ可能な紙容器３１と、収容可能なビニール袋３２とからなり、使用時には図３に示すように、ビニール袋３２内に紙容器３１を入れる
【００１７】
使い捨てマスク４、使い捨て手袋５、及び紙ナプキン６は従来公知のものを使用している。
【００１８】
除菌剤７はアルコール成分を含まない消臭効果のあるものであり、袋７１に収容されている。
【００１９】
梱包容器８は、縦２９７ｍｍ、横２１０ｍｍ、高さ２５ｍｍの紙製の箱からなる。このサイズはセットを梱包する容器として、Ａ４サイズ、厚さ２５ｍｍであるので常備しやすい。また、この大きさは宅配業における最小サイズに入り、送料が格安である。
【００２０】
以下、本実施形態の簡易吐瀉物処理セット１０の使用方法について説明する
１．梱包容器８から紙製吸収細片１、使い捨てちりとり２、廃棄容器３、使い捨てマスク４、使い捨て手袋５、紙ナプキン６、及び除菌剤７を取り出す。
２．廃棄容器３のビニール袋３２を広げ、その中に表面が防水コーティングされた折りたたみ可能な紙製容器３１を入れる。
３．使い捨てマスク４を装着して使い捨て手袋５を装着する。
４．吐瀉物に紙製吸収細片１を何回にも分けふりかけ、吐瀉物の水分を吸収させる。
５．紙製吸収細片１で水分を吸収した吐瀉物を、表面が防水コーティングされた折りたたみ可能な紙製のヘラですくい取り、廃棄容器３の中へ捨てる。
６．十分にすくい取ったら、紙ナプキン６で拭きあげる。
７．十分に拭きあげたら、除菌剤７を拭きあげた場所に散布し紙ナプキン６で拭きあげる。
８．すべてを廃棄容器３に入れ、口を十分に縛ってゴミ箱に捨てる。
【００２１】
除菌する際には次亜塩素酸を使用するのが一般的だが、次亜塩素酸は漂白作用があり、場合によっては吐瀉物を処理した際に使用すると、カーペットや家具を痛める可能性があったが、この簡易吐瀉物処理セットに内包されている除菌消臭剤はカーペットや家具を痛める心配がない。また除菌消臭剤を使用することにより、アルコールを含まないために、火気を嫌う飛行機やバスなどで安全に備えることが出来る。
梱包容器８自体に取り扱いの説明を明記することにより、だれでも素早く簡単に処理が行える。また飛行機や電車内の水のない所でも、本発明の簡易吐瀉物処理セットを備えていれば、置き場所にも困らず、すぐに処理することが出来る。
【符号の説明】
【００２２】
１  紙製吸収細片
２  使い捨てちりとり
３  廃棄容器
３１  紙容器
３２  袋
４  使い捨てマスク
５  使い捨て手袋
６  紙ナプキン
７  除菌剤
８  梱包容器
【図１】
2016154616.tif 000003
【図２】
2016154616.tif 000004
【図３】
2016154616.tif 000005